【手続補正書】
【提出日】平成20年4月16日(2008.4.16)
【手続補正１】
【補正対象書類名】明細書
【補正対象項目名】特許請求の範囲
【補正方法】変更
【補正の内容】
【特許請求の範囲】
【請求項１】
透明なタッチ部材を有する１台の読み取り装置で少なくとも２枚のカードを使用する方法において、
１つのアプリケーションと関連する第１のカードが読み取り装置に挿入されたとき、そのアプリケーションのセッションを開始する工程と、
前記第１のカードが読み取り装置から取り出され、表面に印が印刷され、それぞれの印はアクションと関連付けられ、該印とアクションと関連付けられたデータを格納するメモリを有する第２のカードを前記読み取り装置に挿入すべき場合、前記セッションを活動状態に維持する工程と、
前記第２のカードの前記印の一つを透明部材を介してタッチすることにより前記印の一つの選択に一致するアクションと関連するデータを送信する工程と、
前記送信されたデータに一致する前記関連するアクションを実行する工程と
を備えることを特徴とする方法。
【請求項２】
前記セッションを開始する工程は、前記アプリケーションをロードし、実行する工程を備えること特徴とする請求項１記載の方法。
【請求項３】
前記セッションを開始する工程は、既に実行中である前記アプリケーションのインスタンスを開始する工程を備えることを特徴とする請求項１記載の方法。
【請求項４】
前記実行する工程は、前記第２のカードが前記読み取り装置に挿入されたときに、前記第２のカードから読み取られるデータを前記アプリケーションへ送信するサブ工程を含むことを特徴とする請求項１記載の方法。
【請求項５】
前記維持する工程は、前記アプリケーションから制御プログラムへ、前記第２のカードを前記読み取り装置に挿入する必要があることを指示するメッセージを送信するサブ工程と、前記第２のカードが前記読み取り装置に挿入されるのを待つサブ工程とを備えることを特徴とする請求項１記載の方法。
【請求項６】
前記維持する工程は、前記第２のカードが前記読み取り装置に挿入されなかった場合、所定の時間の後に前記セッションを終了させるサブ工程を備えることを特徴とする請求項１記載の方法。
【請求項７】
前記実行する工程は、
前記読み取り装置から、カードが挿入されたというメッセージを受信するサブ工程と、
挿入されたカードが前記第２のカードであるか否かを判定するサブ工程と、
挿入されたカードが前記第２のカードであると判定されたとき、前記第２のカードから読み取られるデータを前記アプリケーションへ送信するサブ工程と
を備えることを特徴とする請求項１記載の方法。
【請求項８】
前記実行する工程が完了したとき、制御プログラムは第１のモードに戻ることを特徴とする請求項１記載の方法。
【請求項９】
前記実行する工程は、
別の前記第２のカードが前記読み取り装置に挿入されたとき、前記別の第２のカードから読み取られるデータを前記アプリケーションへ送信するサブ工程を備えることを特徴とする請求項４記載の方法。
【請求項１０】
前記終了させる課程は、前記第１のカードが前記読み取り装置から取り出されたというメッセージが受信され、前記第２のカードを前記読み取り装置に挿入可能であることを指示するメッセージが前記セッションから受信されなかった場合、前記セッションを終了させる工程を備えることを特徴とする請求項１記載の方法。
【請求項１１】
前記第１のカードと関連する前記アプリケーションから、別のアプリケーションと関連する新たに挿入される別のカードを前記読み取り装置に挿入可能であることを指示するメッセージが受信されなかった場合、新たに挿入される別のカードに対応する別のセッションを開始する工程を備えることを特徴とする請求項１記載の方法。
【請求項１２】
前記カードは、それぞれ、アプリケーションを一意性をもって識別する識別子を有することを特徴とする請求項１記載の方法。
【請求項１３】
前記カードは、それぞれ、アプリケーションを一意性をもって識別する識別子を有し、前記判定する工程は前記挿入されたカードを前記一意識別子によって判定することを特徴とする請求項７記載の方法。
【請求項１４】
前記データはコンピュータプログラムに対するアドレスであることを特徴とする請求項４記載の方法。
【請求項１５】
前記データは前記アプリケーションの処理用の情報であることを特徴とする請求項４記載の方法。
【請求項１６】
前記開始する工程は、前記アプリケーションと関連する前記第１のカードが前記読み取り装置に挿入され、前記処理装置で動作している制御プログラムが第１のモードにあるとき、前記アプリケーションのセッションを自動的に開始するサブ工程を備えることを特徴とする請求項１記載の方法。
【請求項１７】
前記開始する工程は、前記第１のカードが前記読み取り装置に挿入され、ユーザが前記第１のカードのボタンを操作し、前記処理装置で動作している制御プログラムが第１のモードにあるとき、前記アプリケーションのセッションを開始するサブ工程を備えることを特徴とする請求項１記載の方法。
【請求項１８】
前記開始する工程は、
前記第１のカードから前記アプリケーションのアドレスを読み取るサブ工程と、
前記アドレスを使用して前記アプリケーションをロードし、実行するサブ工程と
を備えることを特徴とする請求項１記載の方法。
【請求項１９】
前記第２のカードの１つは、ユーザの個人情報データを含み、前記実行する工程は前記データを前記アプリケーションへ転送する工程を備えることを特徴とする請求項１記載の方法。
【請求項２０】
前記第２のカードはユーザのビジネス情報データを含み、前記実行する工程は前記データを前記アプリケーションへ転送する工程を備えることを特徴とする請求項１記載の方法。
【請求項２１】
カードは１つのコンテキストでは前記第１のカードとして動作し、別のコンテキストでは第２のカードとして動作することを特徴とする請求項１記載の方法。
【請求項２２】
前記アプリケーションはカード複製アプリケーションであり、前記実行する工程は、情報源として機能する前記第２のカードからターゲットとして機能する別の前記第２のカードへ情報を複製する工程を備えることを特徴とする請求項１記載の方法。
【請求項２３】
前記アプリケーションはコンテンツのブラウジングと、そのコンテンツの全体又は一部の購入及び／又は検索とを支援し、前記実行する工程は、購入及び／又は検索されたコンテンツを前記第２のカードに格納する工程を備えることを特徴とする請求項１記載の方法。
【請求項２４】
前記カードの１枚以上には、関連するアクションにそれぞれ対応する指標がそれぞれプリントされ、前記指標と関連する場所データと、前記関連するアクションを実行するための対応する指令とが格納されているメモリチップが設けられ、前記読み取り装置は感圧膜を具備する請求項１記載の方法において、前記方法は、前記カードが前記読み取り装置に挿入されたとき、場所データ及び対応する指令を前記処理装置へ送信する工程と、
透明膜の指標の上をユーザが押すことにより選択された１つの指標と関連する場所データを送信する工程と、
前記送信された場所データに対応する前記関連するアクションを実行する工程と
を備えることを特徴とする方法。
【請求項２５】
前記１枚以上のカードのうち１枚は前記第２のカードであり、前記関連するアクションの１つは前記アクションであることを特徴とする請求項２４記載の方法。
【請求項２６】
１台のカード読み取り装置と、
制御プログラムが実行される処理装置と、
前記１つのカード読み取り装置と前記処理装置との間で通信を実行する通信手段とを具備し、前記制御プログラムは、１つのアプリケーションと関連する第１のカードが前記カード読み取り装置に挿入されたとき、そのアプリケーションのセッションを開始する手段と、前記第１のカードが前記カード読み取り装置から取り出され、表面に印が印刷され、それぞれの印はアクションと関連付けられ、該印とアクションと関連付けられたデータを格納するメモリを有する第２のカードを前記カード読み取り装置に挿入すべきである場合、前記セッションを活動状態に維持する手段と、
前記第２のカードの前記印の一つを透明部材を介してタッチすることにより前記印の一つの選択に一致するアクションと関連するデータを送信する手段と、
前記送信されたデータに一致する前記関連するアクションを実行する手段と、
前記第２のカードが前記カード読み取り装置に挿入されたとき、アクションを実行する手段とを具備することを特徴とする複数枚のカードを使用するシステム。
【請求項２７】
アプリケーションと１台のカード読み取り装置との間をインタフェースするためのコンピュータプログラムを含むコンピュータ読み取り可能な媒体において、
前記コンピュータプログラムは、アプリケーションと関連する第１のカードが前記カード読み取り装置に挿入されたとき、前記アプリケーションのセッションを開始する工程と、
前記第１のカードが前記カード読み取り装置から取り出され、表面に印が印刷され、それぞれの印はアクションと関連付けられ、該印とアクションと関連付けられたデータを格納するメモリを有する第２のカードを前記カード読み取り装置に挿入すべきである場合、前記セッションを活動状態に維持する工程と、
前記第２のカードの前記印の一つを透明部材を介してタッチすることにより前記印の一つの選択に一致するアクションと関連するデータを送信する工程と、
前記送信されたデータに一致する前記関連する前記第２のカードが前記カード読み取り装置に挿入されたときにアクションを実行する工程
としてコンピュータを機能させるコンピュータ読み取り可能な媒体。
【請求項２８】
アプリケーションと１台のカード読み取り装置との間をインタフェースする方法において、
アプリケーションと関連する第１のカードが前記カード読み取り装置に挿入され、処理装置で実行される制御プログラムが第１のモードにあるとき、前記アプリケーションのセッションを開始する工程と、
前記第１のカードが前記カード読み取り装置から取り出され、前記処理装置で実行される制御プログラムが第１のモードにあるとき、前記アプリケーションのセッションを終了させる工程と、
前記アプリケーションと関連する１枚以上の第２のカードを前記カード読み取り装置に挿入可能であるという前記アプリケーションのセッションからのメッセージに応答して、前記制御プログラムの動作を第１のモードから第２のモードに変化させる工程と、
前記第１のカードが前記カード読み取り装置から取り出され、前記制御プログラムが第２のモードにあるとき、前記アプリケーションと関連する前記第２のカードが前記カード読み取り装置に挿入されるのを待つ工程と、
前記第２のカードが前記カード読み取り装置に挿入され、前記制御プログラムが第２のモードにあるとき、前記第２のカードからのデータを前記アプリケーションへ供給する工程とを備え、
前記第１と第２のカードはそれぞれ、（a）アクションに関連付けられた印が印刷され、（ｂ）前記印とアクションを関連付けたデータを格納するメモリを有し、前記カード読み取り装置は透明なタッチ部材を有し、該カード読み取り装置に挿入された状態で印が見え、該タッチ部材上をタッチすることによって選択が可能であり、前記データは、前記第２のカードの前記カード読み取り装置への挿入と、前記第２のカード上の印の一つの選択に基づいて供給されることを特徴とする方法。
【請求項２９】
前記データを供給する工程は、カードが挿入されたというメッセージを前記カード読み取り装置から受信するサブ工程と、挿入されたカードが前記第２のカードであるか否かを判定するサブ工程と、挿入されたカードが前記第２のカードであると判定されたとき、前記第２のカードから読み取られるデータを前記アプリケーションへ送信するサブ工程とを含むことを特徴とする請求項２８記載の方法。
【請求項３０】
処理装置と、それと通信する１台のカード読み取り装置とを具備するシステムで複数枚のカードを使用する方法において、
アプリケーションと関連する第１のカードが前記カード読み取り装置に挿入され、前記処理装置で実行される制御プログラムが第１のモードにあるとき、前記アプリケーションのセッションを開始する工程と、
前記第１のカードが前記カード読み取り装置から取り出され、前記処理装置で実行される制御プログラムが第１のモードにあるとき、前記アプリケーションのセッションを終了させる工程と、
前記アプリケーションと関連する１枚以上の第２のカードを前記カード読み取り装置に挿入可能であるという前記アプリケーションのセッションからのメッセージに応答して、前記制御プログラムの動作を第１のモードから第２のモードに変化させる工程と、
前記第１のカードが前記カード読み取り装置から取り出され、前記制御プログラムが第２のモードにあるとき、前記アプリケーションと関連する前記第２のカードが前記カード読み取り装置に挿入されるのを待つ工程と、
前記第２のカードが前記カード読み取り装置に挿入され、前記制御プログラムが第２のモードにあるとき、アクションを実行する工程と備え、
前記第１と第２のカードはそれぞれ（a）アクションに関連付けられた印が印刷され、（ｂ）前記印とアクションを関連付けたデータを格納するメモリを有し、前記カード読み取り装置は透明なタッチ部材を有し、該カード読み取り装置に挿入された状態で印が見え、該タッチ部材上をタッチすることによって選択が可能であり、前記アクションは、前記カード読み取り装置への前記第２のカードの挿入と、前記第２のカードの印の一つの選択に基づいて実行されるることを特徴とする方法。
【請求項３１】
より少数の複数のカードグループに集合分類される複数枚のカードを使用する方法において、
（ａ）第１のカードをカード読み取り装置に挿入する工程と、
（ｂ）前記第１のカードが基本カードである場合、（ｉ）グループのアイデンティティと、（ｉｉ）基本カードのアイデンティティと、（ｉｉｉ）基本カードのインタフェース記述と、（ｉｖ）少なくとも１枚の関連メンバーカードのアイデンティティと、（ｖ）前記少なくとも１枚の関連メンバーカードのインタフェース記述とを読み取り、格納する工程と、
（ｃ）前記第１のカードを前記カード読み取り装置から排出し、ユーザが選択可能であり、関連アクションを有するアイコンが表面に設けられ、前記カード読み取り装置がそのアイコンをアクセス可能であるような第２のカードを前記カード読み取り装置に挿入する工程と、
（ｄ）前記挿入された第２のカードが前記基本カードと関連するメンバーカードである場合、（ｉ）前記挿入された第２のカードが関連している前記グループのアイデンティティと、（ｉｉ）挿入された関連メンバーカードのアイデンティティとを読み取る工程と、
（ｅ）前記第１のカードから読み取られたグループのアイデンティティと前記第２のカードから読み取られたグループのアイデンティティとを比較する工程と、
（ｆ）ユーザ選択可能なアイコンと関連アクションとの関連は、関連する基本カードから読み取られ、格納されている関連メンバーカードのインタフェース記述により定義されるため、前記比較されたグループのアイデンティティが一致することにより、ユーザがユーザ選択可能なアイコンを選択した場合、関連アクションをイネーブルする工程とを備えることを特徴とする方法。
【請求項３２】
前記工程（ｃ）において、前記挿入された第２のカードが別の基本カードと関連するメンバーカードである場合、前記方法は、工程（ｃ）の後に、
（ｇ）（ｉ）前記挿入された第２のカードが関連しているグループのアイデンティティと、（ｉｉ）挿入されたメンバーカードのアイデンティティとを前記カード読み取り装置により読み取る工程と、
（ｈ）前記第１のカードから読み取られたグループのアイデンティティと前記第２のカードから読み取られたグループのアイデンティティとを比較する工程と、
（ｉ）前記比較されたグループのアイデンティティが一致しないため、ユーザがユーザ選択可能なアイコンを選択した場合に関連アクションをイネーブルしない工程と
を備えることを特徴とする請求項３１記載の方法。
【請求項３３】
前記工程（ｃ）において、前記挿入された第２のカードが前記別の基本カードである場合、前記方法は工程（ｂ）に戻り、前記挿入された第２のカードを先に工程（ａ）で定義された前記挿入された第１のカードであるとみなすことを特徴とする請求項３１記載の方法。
【請求項３４】
（ｊ）適合しないメンバーカードの挿入が起こったことを指示する警報をユーザに対して発する工程を更に含むことを特徴とする請求項３２記載の方法。
【請求項３５】
前記カードの１枚以上には、関連するアクションにそれぞれ対応する指標がそれぞれプリントされ、前記指標と関連する場所データと、前記関連するアクションを実行するための対応する指令とが格納されているメモリチップが設けられ、前記カード読み取り装置は感圧膜を具備することを特徴とする請求項３１記載の方法において、前記方法は、前記カードが前記カード読み取り装置に挿入されたとき、場所データ及び対応する指令を前記処理装置へ送信する工程と、透明膜の指標の上をユーザが押すことにより選択された１つの指標と関連する場所データを送信する工程と、前記送信された場所データに対応する前記関連するアクションを実行する工程とを備えることを特徴とする方法。
【請求項３６】
前記１枚以上のカードの１枚は前記第２のカードであり、前記関連アクションの１つは前記アクションであることを特徴とする請求項３５記載の方法。
【請求項３７】
基本カードと、少なくとも１枚の関連メンバーカードとを含むカードのグループと関連するカード開始アクションをイネーブルする方法において、
前記基本カードをカード読み取り装置に挿入する工程と、
挿入された前記基本カードから基本カードデータと、前記関連メンバーカードの第１のデータとを読み取る工程と、
前記メンバーカードを前記カード読み取り装置に挿入する工程と、
挿入された前記メンバーカードから第２のデータを読み取る工程と、
第１のデータと第２のデータとが対応することに従って、前記メンバーカードと関連するカード開始アクションをイネーブルする工程とを備え
前記基本カードとメンバーカードはそれぞれ（a）アクションに関連付けられた印が印刷され、（ｂ）前記印とアクションを関連付けたデータを格納するメモリを有し、前記カード読み取り装置は透明なタッチ部材を有し、該カード読み取り装置に挿入された状態で印が見え、該タッチ部材上をタッチすることによって選択が可能であり、前記イネーブルする工程は、前記カード読み取り装置への前記メンバーカードの挿入と、前記メンバーカードの印の一つの選択に基づいて実行されることを特徴とする方法。
【請求項３８】
より少数の複数のカードグループに集合分類される複数枚のカードの間をインタフェースするためのコンピュータプログラムを具備するコンピュータ読み取り可能な媒体において、前記コンピュータプログラムは、カード読み取り装置に挿入された基本カードから基本カードデータと、前記少なくとも１枚の関連メンバーカードの第１のデータとを読み取る手段と、前記カード読み取り装置に挿入された前記メンバーカードから第２のデータを読み取る手段と、第１のデータと第２のデータとが対応することに従って、前記メンバーカードと関連するカード開始アクションをイネーブルする手段
としてコンピュータを機能させることを特徴とするコンピュータ読み取り可能な媒体。
【請求項３９】
１枚以上のメンバーカードの中の基本カードにおいて、前記基本カードと、前記１枚以上のメンバーカードはカードグループを形成し、前記基本カード又はメンバーカードは、それぞれ、前記グループを識別する共通グループ番号と、前記カードを識別する番号とが格納された記憶装置を具備し、前記メンバーカードは、それぞれ、ユーザとの対話のためのインタフェースを具備し、前記基本カードの前記記憶装置は各メンバーカードのインタフェース記述を更に格納していることを特徴とする基本カード。
【請求項４０】
基本カードと関連するメンバーカードにおいて、前記基本カードと、前記１枚以上のメンバーカードはカードグループを形成し、前記基本カード又はメンバーカードは、それぞれ、前記グループを識別する共通グループ番号と、前記カードを識別する番号とが格納された記憶装置を具備し、前記メンバーカードは、それぞれ、ユーザとの対話のためのインタフェースを具備し、前記基本カードの前記記憶装置は各メンバーカードのインタフェース記述を更に格納していることを特徴とする基本カード。